(57)【要約】      （修正有）【課題】ＬＥＤおよび蓄光材の特徴を生かして、これらから発する光により虫を集める。ＬＥＤおよび蓄光材を利用して発光し、いわばハイブリットとしての捕虫器を提供する。【解決手段】粘着シート１１と、粘着シート１１の裏面に積層される蓄光材３１と、蓄光材３１の裏面に設置されるＬＥＤ４１と、ＬＥＤ用電源５１と、ＬＥＤ用電源スイッチ５２と、光センサー６１と、光センサー６１からの情報を受領して暗と判断するとＬＥＤ用電源スイッチ５２にオン状態をとらせ、明と判断するとＬＥＤ用電源スイッチ５２にオフ状態を取らせる制御部７１と、を備える捕虫器。【選択図】図２
2016086687.tif 000002
【特許請求の範囲】
【請求項１】
粘着シートと、
粘着シートの裏面に積層され、粘着シートを透過して蓄光及び発光させる蓄光材と、
を備える捕虫器。
【請求項２】
粘着シートと、
粘着シートの裏面に積層され、粘着シートを透過して蓄光及び発光させる蓄光材と、
蓄光材の裏面に設置され、蓄光材及び粘着シートを透過させる光を発するＬＥＤとＬＥＤ用電源からなる、
を備える捕虫器。
【請求項３】
粘着シートと、
粘着シートの裏面に積層され、粘着シートを透過して蓄光及び発光させる蓄光材と、
蓄光材の裏面に設置され、蓄光材及び粘着シートを透過させる光を発するＬＥＤと、
ＬＥＤ用電源と、
ＬＥＤ用電源スイッチと、
光センサーと、
光センサーからの情報を受領して暗と判断するとＬＥＤ用電源スイッチにオン状態をとらせ、明と判断するとＬＥＤ用電源スイッチにオフ状態を取らせる制御部と、
を備える捕虫器。
【発明の詳細な説明】
【技術分野】
【０００１】
本発明は、捕虫器に係る。更に詳細には、蓄光材あるいは、蓄光材とＬＥＤを用いた捕虫器に係る。
【背景技術】
【０００２】
従来、蓄光材あるいは蓄光塗料、あるいは粘着剤、ＬＥＤを使用する捕虫器としては、特許文献１乃至３記載のものが知られている。
【０００３】
特許文献１に記載の「害虫捕獲器」は、「面状部材表面部または裏面部に害虫誘引光源となる蓄光部材又は誘引熱源となる蓄熱部材或いは害虫誘引光源となる蓄光部材と誘引熱源となる蓄熱部材の両方を同時に設けた害虫捕獲器」からなる（特許文献１請求項４）。「害虫捕獲スクリーンに使用する誘引光源にはＬＥＤライト、誘蛾灯等が使用できる。」（特許文献１［００４３］）。「捕獲器上部に太陽電池を電源とするＬＥＤライトを設け、面状部はプラダン材で４面衝立状とし、捕獲容器の仕切り板になるよう容器に差し込んで組み立てた捕獲容器分離型の捕獲器である。」（特許文献１［０１２４］）。
【０００４】
特許文献２に記載の「害虫捕獲器」は、「発光部９１は、本体１３の下面に着脱自在に固定されるケース９２と、電源である電池９３と、回路基板９４と、光源であるＬＥＤ９５と、スイッチ９６と、配線９７と、から構成されており、そしてＬＥＤ９５が、本体１３の底部から嵩上げ部９８内に位置するように組み付けられている。」からなる（特許文献２［００８７］）。「発光体または蓄光体を薬剤と共にゲル粒中に含有させてゲル粒を発光させること等が挙げられる。」（特許文献２［００３３］）。
【０００５】
特許文献３記載の「害虫捕獲容器及びそれを用いた害虫捕獲装置」は、「容器（１）の近傍に害虫を誘引する発光源(73)を設け、該発光源からの直射光や反射光により上記捕虫用粘着剤層(68)の表面を照射して害虫を誘引することができる。この発光源(73)としては、白熱灯や蛍光灯を使用することもできるが、好ましくは支持片(74)上に複数の発光ダイオ−ド（ＬＥＤ）を設けて光源とするとよく、該発光ダイオ−ドを用いることにより、バッテリ−(75)により長時間、例えば単３乾電池４本で約１週間程発光を持続して高輝度を発現させることができ」からなる（特許文献３［００３２］）。
【先行技術文献】
【特許文献】
【０００６】
【特許文献１】特開２０１４−１４０３５３号公報
【特許文献２】特開２０１０−５７５０２号公報
【特許文献３】特開２００３−１８０２２１号公報
【発明の概要】
【発明が解決しようとする課題】
【０００７】
従来例には、誘引光源にはＬＥＤライトを使用し、あるいは、発光体または蓄光体を薬剤と共にゲル粒中に含有させる等の記載はある。更に、蓄光体表面に光を照射し蓄光体照射表面からの光で粘着剤を照射するものである。
しかし、表面に虫を粘着させるための粘着シートを設け、粘着シートの裏側に蓄光材を設け、粘着シートを透過して蓄光するとともに、蓄光材に蓄光された光を粘着シートを通して外部に照射するものは知られていなかった。更に、ＬＥＤおよび蓄光材の特徴を生かして、いわばハイブリットとしての捕虫器の記載はない。
【０００８】
本発明の目的は、蓄光材の特徴を生かした捕虫器を提供することを目的とする。更に、ＬＥＤおよび蓄光材の特徴を生かして、光により虫を集め、いわばハイブリットとしての捕虫器を提供することを目的とする。
表面に虫を粘着させるための粘着シートを設け、粘着シートの裏側に蓄光材を設け、粘着シートを透過して蓄光するとともに、蓄光材に蓄光された光を粘着シートを通して外部に照射する。蓄光が充分でない場合はＬＥＤで補充することを併せて目的とする。
光により虫を集める。
【課題を解決するための手段】
【０００９】
この発明に係る捕虫器は、
粘着シートと、
粘着シートの裏面に積層され、粘着シートを透過して蓄光及び発光させる蓄光材と、
を備える。
【００１０】
更に、この発明に係る捕虫器は、
粘着シートと、
粘着シートの裏面に積層され、粘着シートを透過して蓄光及び発光させる蓄光材と、
蓄光材の裏面に設置され、蓄光材及び粘着シートを透過させる光を発するＬＥＤとＬＥＤ用電源、
を備える。
【００１１】
更に、この発明に係る捕虫器は、
粘着シートと、
粘着シートの裏面に積層され、粘着シートを透過して蓄光及び発光させる蓄光材と、
蓄光材の裏面に設置され、蓄光材及び粘着シートを透過させる光を発するＬＥＤと、
ＬＥＤ用電源と、
ＬＥＤ用電源スイッチと、
光センサーと、
光センサーからの情報を受領して暗と判断するとＬＥＤ用電源スイッチにオン状態をとらせ、明と判断するとＬＥＤ用電源スイッチにオフ状態を取らせる制御部と、
を備える。
【発明の効果】
【００１２】
表面に虫を粘着させるための粘着シートを設け、粘着シートの裏側に蓄光材を設け、粘着シートを透過して蓄光するとともに、蓄光材に蓄光された光を、粘着シートを通して外部に照射し、蓄光が充分でない場合はＬＥＤで補充することを併せて提供する。
光により虫を集める。
本発明によれば、ＬＥＤおよび蓄光材の特徴を生かして、いわばハイブリットとしての捕虫器を提供する。
【図面の簡単な説明】
【００１３】
【図１】この発明の実施の形態に係る実施例の斜視図である。
【図２】この発明の実施の形態に係る実施例の中央断面図である。
【発明を実施するための形態】
【００１４】
この発明の実施の一形態に係る実施例を、この実施例をあらわす図１乃至図２に基づいて説明する。
【００１５】
１１は、この発明に係る捕虫器の本体である。捕虫器本体１１は、プラスチック製の箱体からなる。
２１は、粘着シートである。粘着シート２１は、透明あるいは半透明状からなり、捕虫器本体１１の表面に取り付け取外し可能である。粘着シート２１は、粘着剤を表面に塗布される。
【００１６】
粘着シート２１としては、各種紙類、ポリエステル、ポリウレタン、ポリ塩化ビニル、ポリ塩化ビニリデン、ナイロン、アクリル、ポリカーボネート、ポリアセタール、フェノール、エポキシ等のプラスチック、エチレンビニルアルコール共重合体樹脂、ポリビニルアルコール等またはこれらを２種以上混合した混合プラスチックのプレートもしくはシート、またはそれら同種、もしくは異種のプレートやシートを積層した材料も使用可能である。
粘着シート２１は、光透過性を有することが必要である。
【００１７】
粘着シート２１に使用する粘着剤としては、合成粘着剤、天然粘着剤が有効である。合成粘着剤としては、アクリル系粘着剤、ポリブテン系粘着剤、ポリイソブチレン、スチレン−ブタジエンゴム粘着剤、ブチルゴム、クロロブレンゴム、塩ビ−酢ビ共重合体、塩化ゴム、ポリビニルブチラールなどが用いられる。天然粘着剤としては、天然ゴム、ゼラチンなどが用いられる。
粘着シート２１に使用する粘着剤は、粘着シート２１の光透過性を阻害しないことが望ましい。
【００１８】
更に、粘着シート２１には、各種の添加剤、誘引剤を併用しても良く、これらとしては、例えば、特開２００２−０３７７０８「ハエの誘引剤」記載の「殺菌剤、殺黴剤、保存剤、酸化防止剤、紫外線防止剤、展着剤、キレート剤、増粘剤、誤食防止剤、香料（アセトインなど）、ハエ類の性フェロモン（例えば、（Ｚ）−９−トリコセン）、あるいは他の誘引剤（例えば、フェニル酢酸メチル、フェニル酢酸エチル、フェニル酢酸プロピル、フェニル酢酸フェネチル等）等」が知られている。
更に、粘着シート２１には、「ハエの誘引活性を高めるために、誘引剤を色素により赤色系等に着色」も有効である。「他の食餌誘引剤として、果実（メロン、バナナ、イチゴなど）及びその抽出物や加工品、醸造品（黒酢、みそ、しょうゆなど）、醸造酒（ビール、ワイン、日本酒、果実酒など）、蒸留酒（ウイスキー、焼酎、ウォッカなど）」が知られている。
【００１９】
３１は、蓄光材である。蓄光材３１は、粘着シートの裏面に積層される。蓄光材としては、硫化亜鉛(ZnS系)やアルミン酸ストロンチウム (SrAl2O4系)が知られる。蓄光材３１は、シート状に形成される。
シート状からなる蓄光材３１は、光透過性を有することが必要である。
【００２０】
４１は、ＬＥＤである。ＬＥＤ４１は、蓄光材３１の裏面に設置される。
５１は、ＬＥＤ用電源である。ＬＥＤ用電源としては、乾電池を使用する。５２は、ＬＥＤ用電源スイッチである。６１は、光センサーである。光センサー６１は、蓄光材３１と同一平面に設置される。
７１は、制御部である。制御部７１は、光センサー６１からの情報を受領して暗と判断するとＬＥＤ用電源スイッチ５２にオン状態をとらせる。光センサー６１からの情報を受領して明と判断するとＬＥＤ用電源スイッチ５２にオフ状態を取らせる。
【００２１】
そこで、粘着シート２１を透過した光により蓄光材３１が充分に蓄光している間は、粘着シート２１を透過する蓄光材３１の発光で集虫をおこなう。このとき光センサー６１からの光の明度に関する情報を受領した制御装置では、明状態と判断し、ＬＥＤ用電源スイッチ５２にオフ状態を取らせる。
しかし、蓄光材３１の蓄光が不足してくると、明度が落ちる。このとき光センサー６１からの情報を受領した制御装置では、暗状態と判断し、ＬＥＤ用電源スイッチ５２にオン状態を取らせる。
【００２２】
蓄光材３１及びＬＥＤの光に虫は集まり、粘着シート２１に粘着する。粘着シート２１に虫が多数粘着したときは、粘着シート２１を取り替えて、捕虫器本体１１に張り付ける。
図１に図示されるように、蓄光材３１は、粘着シート２１の裏面にシート状に積層される。蓄光材３１は、図２に透過光ｂとして図示するように、粘着シート２１を透過して蓄光し、粘着シート２１を透過して光を発する。光は、粘着シート２１を透過し、粘着シート２１から漏れる光によって粘着シート２１に集虫させる。
同様、ＬＥＤ４１は、蓄光材３１及び粘着シート２１の裏面に設置され、蓄光材３１だけでは、光が足りないときは、ＬＥＤ４１を使用する。ＬＥＤ４１からは、光を発するが、図２に透過光ａとして図示するように、蓄光材３１及び粘着シート２１を透過させる光を発し、粘着シート２１から漏れる光によって粘着シート２１に集虫させる。ＬＥＤ４１の発光によっても、蓄光材３１は蓄光される。
【００２３】
本発明の実施例によれば、ＬＥＤ４１および蓄光材３１の特徴を生かして、いわばハイブリットとしての捕虫器を提供する。
表面に虫を粘着させるための粘着シート２１を設け、粘着シート２１の裏側に蓄光材３１を設け、粘着シート２１を透過して蓄光するとともに、蓄光材３１に蓄光された光を、粘着シート２１を通して外部に照射し、蓄光が充分でない場合はＬＥＤ４１で補充することを併せて提供する。
【符号の説明】
【００２４】
１１  捕虫器本体
２１  粘着シート
３１  蓄光材
４１  ＬＥＤ
５１  ＬＥＤ用電源
５２  ＬＥＤ用電源スイッチ
６１  光センサー
７１  制御部
ａ    透過光
ｂ    透過光
【図１】
2016086687.tif 000003
【図２】
2016086687.tif 000004